(57)【特許請求の範囲】
【請求項１】
２つの天井材の間に、照明装置が取り付けられて固定される天井組込照明装置の取付構造であって、前記各天井材の前記照明装置が取り付けられる側の側端部にはそれぞれ、背面側に突出した挟持片が形成されており、前記各挟持片および前記照明装置にはそれぞれ、一方の前記天井材から他方の前記天井材に向かって貫通する位置決め用孔が形成されており、一方の前記天井材の前記挟持片と他方の前記天井材の前記挟持片との間に前記照明装置が挟持された状態で棒状の位置決め部材の両端部が前記各挟持片の外方に突出するように前記各位置決め用孔に前記位置決め部材が挿し込まれて前記照明装置が取り付けられ固着具で固定されることを特徴とする天井組込照明装置の取付構造。
【請求項２】
前記位置決め部材の内部には、挿入方向に貫通する固着具挿通孔が形成されており、前記各挟持片および前記照明装置の前記各位置決め用孔に前記位置決め部材が挿し込まれた状態で前記固着具挿通孔に前記固着具が挿し込まれて前記各挟持片の間に前記照明装置が固定されることを特徴とする請求項１に記載の天井組込照明装置の取付構造。
【請求項３】
前記位置決め部材は、挿入方向の基端部に、一方の前記挟持片に係止される、外方に突出する平板状のフランジ部が形成されていることを特徴とする請求項２に記載の天井組込照明装置の取付構造。
【請求項４】
前記固着具は、前記挟持片に当接する弾性体を有し、この弾性体の弾性力によって前記照明装置が押付固定されることを特徴とする請求項１から３のいずれか一項に記載に天井組込照明装置の取付構造。
【発明の詳細な説明】
【技術分野】
【０００１】
本発明は、天井組込照明装置の取付構造に関する。
【背景技術】
【０００２】
天井に設置される照明はダウンライトやシーリングライト等の器具型照明が一般的である。これらの器具型照明は天井面より突出されている場合が多く、その器具型照明の存在感が残るなどあまり室内空間の外観が考慮されていない。そこで、浴室などの照明演出効果を高め入浴などの楽しみを高める機能的な器具型照明の取り付け構造が提案されている（特許文献１参照）。具体的には、側面視Ｌ字状で下方に開口した複数の照明ボックスを２つの天井材に縦部側と横部側とで接続させて取り付け、各照明ボックスの縦部内に照明灯を配設するとともに照明ボックスの下方開口にルーバを取り付けている。この器具型照明の取り付け構造では、照明ボックスの下端周縁部を天井の立ち上がり片と別部材である額縁の縦片とで挟み固定ねじとナットで固定し、額縁の横片にルーバを載置してルーバと天井面とを面一にしている。これにより、すっきりした室内空間が実現される。
【先行技術文献】
【特許文献】
【０００３】
【特許文献１】実開昭６１−１７８２１５号公報
【発明の概要】
【発明が解決しようとする課題】
【０００４】
上記のような器具型照明の取り付け構造においては、一般的に天井材の剛性が器具型照明よりも小さく、取り付け施工時に天井材が撓みやすい。このため、２つの天井材と器具型照明のルーバの合計３面が面一になるように照明ボックスを天井パネルに固定することは難しい。
【０００５】
本発明は、以上の通りの事情に鑑みてなされたものであり、すっきりした室内空間を付与できる照明装置の天井材への取り付け時の施工性を向上させた天井組込照明装置の取付構造を提供することを課題としている。
【課題を解決するための手段】
【０００６】
上記の課題を解決するために、本発明の天井組込照明装置の取付構造は、以下のことを特徴としている。
【０００７】
本発明は、２つの天井材の間に、照明装置が取り付けられて固定される天井組込照明装置の取付構造であって、各天井材の照明装置が取り付けられる側の側端部にはそれぞれ、背面側に突出した挟持片が形成されており、各挟持片および照明装置にはそれぞれ、一方の天井材から他方の天井材に向かって貫通する位置決め用孔が形成されており、一方の天井材の挟持片と他方の天井材の挟持片との間に照明装置が挟持された状態で各位置決め用孔に棒状の位置決め部材が挿し込まれて照明装置が取り付けられ固着具で固定されることを特徴とする。
【０００８】
この天井組込照明装置の取付構造において、位置決め部材の内部には、挿入方向に貫通する固着具挿通孔が形成されており、各挟持片および照明装置の各位置決め用孔に位置決め部材が挿し込まれた状態で固着具挿通孔に固着具が挿し込まれて各挟持片の間に照明装置が固定されることが好ましい。
【０００９】
また、この天井組込照明装置の取付構造において、位置決め部材は、挿入方向の基端部に、一方の挟持片に係止される、外方に突出する平板状のフランジ部が形成されていることが好ましい。
【００１０】
さらにまた、この天井組込照明装置の取付構造において、固着具は、挟持片に当接する弾性体を有し、この弾性体の弾性力によって照明装置が押付固定されることが好ましい。
【発明の効果】
【００１１】
本発明の天井組込照明装置の取付構造では、すっきりした室内空間を付与できる照明装置を容易に取り付けることができる。
【図面の簡単な説明】
【００１２】
【図１】（ａ）は本発明の天井組込照明装置の取付構造の一実施形態を示す斜視図であり、（ｂ）は（ａ）のＡ−Ａ線断面図である。
【図２】図１(ａ)のＢ−Ｂ線断面図である。
【図３】光源ユニットの斜視図である。
【図４】照明装置の分解斜視図である。
【図５】光源ユニットのケース体への取り付けを説明する斜視図である。
【図６】照明装置の取り付けを説明する斜視図である。
【図７】本発明の天井組込照明装置の取付構造の別の実施形態を示す断面図である。
【図８】照明装置の取り付けを説明する斜視図である。
【発明を実施するための形態】
【００１３】
以下、図面を参照して本発明の実施形態を説明する。
【００１４】
図１（ａ）は、本発明の天井組込照明装置の取付構造の一実施形態を示す斜視図であり、図１（ｂ）は、図１（ａ）のＡ−Ａ線断面図である。図２は、図１(ａ)のＢ−Ｂ線断面図である。図３は、光源ユニットの斜視図である。図４は、照明装置の分解斜視図である。図５は、光源ユニットのケース体への取り付けを説明する斜視図であり、図６は、照明装置の取り付けを説明する斜視図である。
【００１５】
天井材４０は、浴室ユニット等の天井の構成部材であり、本実施形態では２枚の天井材４０と照明装置１とで浴室ユニット６０の天井が構成されている。天井材４０は、鋼板やアルミニウム板のような金属または合成樹脂などにより矩形状に形成され、下面が浴室内に露出する面板部４１の４側端部（４辺）４１ａの一つに背面側（上側）に向かって突出する平板状の挟持片４２が全長にわたって折曲形成されている。挟持片４２にはその長手方向の略中央の位置１箇所に位置決め用孔４６が設けられ、この位置決め用孔４６の下側に貫通孔４５が長手方向４箇所に所定間隔で設けられている。この位置決め用孔４６および貫通孔４５は、後述する棒状の位置決め部材７０および固着具５０がそれぞれ挿し込まれる孔であり、その数、位置等は特に制限されるものではない。例えば、照明装置１を挟持片４２に取り付けることができれば、位置決め用孔４６は、複数の箇所に設けられていてもよいし、貫通孔４５の下側に設けられていてもよい。また貫通孔４５は、後述するように、位置決め用孔４６に挿通する位置決め部材７０の内部に形成される固着具挿通孔７１として構成することもできる。
【００１６】
２枚の天井材４０のうち一方の天井材４０には、点検蓋４３を着脱自在に取り付け可能な点検口４４が設けられている。２枚の天井材４０は、挟持片４２が対向するようにそれぞれ配置され、対向する挟持片４２の間に照明装置１が取り付けられる。
【００１７】
照明装置１は、線状に光るライン照明であり、導光材２と、この導光材２に光を出射する光源ユニット１０と、導光材２および光源ユニット１０を収納するケース体２０とを備えている。導光材２は単数もしくは複数でもよく、複数の場合には長手方向に配列されてケース体２０に収納される。本実施形態では、４本の導光材２が長手方向に配列され、隣接する導光材２の端部同士が互いに当接するように連続して配置されている。その長手方向全長は、挟持片４２が形成されている天井材４０の１辺の長さと略一致する。光源ユニット１０は、導光材２の数に対応して４つ設けられているが、導光材２が長手方向に連続して配置されていれば４つ以下の数とすることもできる。
【００１８】
導光材２は、アクリル樹脂やポリカーボネート樹脂等の合成樹脂、ガラス等の透光性を有し屈折率の高い部材で構成される。この導光材２は、短辺側の一方の側面が入射面２ａ、長辺側の一側面が室内空間の照明光として光を出射する発光面２ｂとなる断面視略矩形状の長尺な部材で構成される。より具体的には、入射面２ａからその反対側の側面に向かって長辺側の対向する一対の側面が漸近する楔型形状を有し、漸近する一対の側面の一つが発光面２ｂとされる。楔型形状とすることにより、入射面２ａから入射した光の繰り返し反射による減衰が抑えられる。この効果を高めるために、光を拡散導出するための導光パターンを漸近する一対の側面のうち発光面２ｂの反対側の側面に設けることができる。導光パターンは、例えば、発光面２ｂの反対側の側面に、反射シートを貼着したり反射性の物質を印刷や蒸着したりすることによって形成される。また導光パターンは、導光材２の長手方向に直交する方向に溝加工もしくは溝を成形することによっても形成することができる。このような導光パターンは導光材２の長手方向全長にわたって設けることができる。
【００１９】
光源ユニット１０は、ＬＥＤ等の光源１１と、基板１２と、この基板１２を収納する基板ケース１３とから構成され、上下方向に着脱可能にケース体２０に収納される。
【００２０】
光源１１は基板１２に単数または複数搭載されており、この光源１１が導光材２の入射面２ａに対向して配置されるように基板ケース１３に基板１２が装着され、基板ケース１３がケース体２０に装着される。
【００２１】
ケース体２０は、アルミニウム等の金属、合成樹脂等の剛性部材で構成され、対向する一対の平板状の長尺な側板２３と、この一対の側板２３間を連結する平板状の長尺な連結板２１とから一体に形成されている。具体的には、一対の側板２３は互いに略平行に配置され、この一対の側板２３の間に、側板２３に直交するように連結板２１が配置され、ケース体２０は断面視略Ｈ字形状に形成されている。このような形状とすることにより、ケース体２０自体の強度が効果的に確保され、ケース体２０の撓み、変形が抑制される。照明装置１の天井材４０への取り付けに必要な剛性がより効果的に確保される。また、天井材４０の補強材としての機能を兼ねることもできる。ケース体２０に収納される導光材２の強度も補強され、導光材２の撓み、変形を抑制する機能も有する。
【００２２】
ケース体２０は、２枚の天井材４０の各々に形成されている挟持片４２の間に配置され、各側板２３の外側面（対向する側板側の面とは反対側の面）が各々の挟持片４２の内側面（対向する挟持片側の面）に当接する。
【００２３】
各側板２３は、下端部に、内方（対向する側板側に向かう方向）に突出する平板状の支持片２４を長手方向全長にわたって有している。この支持片２４は連結板２１と略平行に形成されている。各側板２３の支持片２４は対向して形成されており、これら支持片２４の間に導光材２が挟持され支持される。また、各側板２３の内側面（対向する側板側の面）には、下側部分が内方に凹み、光源ユニット１０を支持する載置部２８が形成されている。
【００２４】
連結板２１と一対の側板２３とで囲まれる領域のうち連結板２１の下側に形成され下方に開放する下側領域Ｙにおいて、導光材２が支持片２４に支持されて収納される。一方、連結板２１の上側に形成され上方に開放する上側領域Ｘにおいては、上記した挟持片４２の位置決め用孔４６を通じて位置決め部材７０が外方から挿し込まれて、ケース体２０が挟持片４２に取り付けられるようになっている。また、挟持片４２の貫通孔４５を通じて固着具５０が外方から挿し込まれて、ケース体２０が挟持片４２に固定されるようになっている。これによって、位置決め部材７０および固着具５０と導光材２とが互いに干渉することなく照明装置１が天井材４０に取り付けられる。
【００２５】
ケース体２０の各側板２３に対向して形成されている支持片２４の間の離間距離ｄは、導光材２の幅Ｄよりもやや狭く設定され、導光材２の発光面２ｂが支持片２４によって可能な限り遮蔽されないようにされている。各支持片２４には、先端部上側に突起２５が設けられて段部２６が形成されている。これら支持片２４の段部２６の間に導光材２が挟持されることにより、導光材２の設置安定性が向上し、ケース体２０内に安定して収納される。
【００２６】
ケース体２０内への導光材２の収納は、導光材２の発光面２ｂが室内空間に臨むようにケース体２０の両端部の一方の端部から下側領域Ｙに挿し込まれることによってなされる。
【００２７】
ケース体２０の各側板２３には、挟持片４２の位置決め用孔４６に対応する位置決め部材７０の位置決め用孔３７が長手方向の略中央の位置に設けられている。また、各側板２３には、挟持片４２の貫通孔４５に対応する固着具５０の貫通孔２７が位置決め用孔３７の下側に長手方向４箇所に所定間隔で設けられている。側板２３および挟持片４２の位置決め用孔３７，４６に位置決め部材７０を挿通させることにより照明装置１が挟持片４２に取り付けられ、側板２３および挟持片４２の貫通孔２７，４５に固着具５０を挿通させ締結することにより照明装置１が挟持片４２に固定される。固着具５０の締結時のケース体２０の変形をできるだけ抑えるために連結板２１付近に貫通孔２７が設けられることが好ましい。連結板２１よりも下側に位置決め用孔３７や貫通孔２７を側板２３に設け、側板２３および挟持片４２の位置決め用孔３７，４６、貫通孔２７，４５を通じて下側領域Ｙに位置決め部材７０と固着具５０を挿し込んで照明装置１を挟持片４２に取り付け、固定することもできる。この場合、下側領域Ｙに収納される導光材２と挿し込まれる位置決め部材７０および固着具５０とが干渉しないような位置に位置決め部材７０や貫通孔２７が側板２３に設けられる。
【００２８】
挟持片４２に取り付けられた照明装置１が天井面４１ｂから突出しないように、挟持片４２の高さ（天井面４１ｂから天井裏面（背面）に至る方向の長さ）、ケース体２０の高さ（天井面４１ｂから天井裏面に至る方向の長さ）等が設定される。同様に、側板２３および挟持片４２の位置決め用孔３７，４６、貫通孔２７，４５の形状、位置等も照明装置１が天井面４１ｂから突出しないように設定される。照明装置１が天井面４１ｂと同一面上（面一）になるように、上記した部材の高さや孔の形状、位置等が設定されることが好ましい。照明装置１が後述するカバー体３０を備えているときは、カバー体３０の室内空間側の面が天井面４１ｂから突出しないように、上記した部材の高さや孔の形状、位置等が設定される。
【００２９】
側板２３および挟持片４２の位置決め用孔３７，４６の形状は、位置決め部材７０の外形形状と略一致する形状であることが好ましい。このとき、位置決め用孔３７，４６に位置決め部材７０を挿通させたときの位置決め用孔３７，４６と位置決め部材７０との間に形成されるクリアランスが可能な限り小さくなるようにすることが好ましい。例えば、位置決め部材７０が円柱形状を有している場合、位置決め用孔３７，４６の形状は位置決め部材７０の外径よりもやや小さい円形状に形成されていることが考慮される。側板２３および挟持片４２の貫通孔２７，４５の形状は、固着具５０の締結により照明装置１を挟持片４２に固定することができれば特に制限されない。例えば、固着具５０を挿通させたときの貫通孔２７，４５と固着具５０との間に形成されるクリアランスが上記した位置決め用孔３７，４６と位置決め部材７０との間のクリアランスよりも大きくなるような長孔状とすることができる。
【００３０】
本実施形態では、ケース体２０の側板２３に、外側面から外方に突出する平板状の係止片２９が設けられており、挟持片４２の先端部４２ａに係止片２９が引っ掛かってケース体２０が挟持片４２に載置され、支持されるようになっている。これによって、照明装置１を天井材４０に取り付ける際、ケース体２０の落下を防ぐことができる。また作業性を向上させる利点も有する。
【００３１】
本実施形態では、照明装置１は、下側領域Ｙの下側に、導光材２を覆うカバー体３０を備えている。カバー体３０は、アクリル樹脂やポリカーボネート樹脂等の透明性合成樹脂で構成される平板状の部材であり、側板２３の下側部分に装着される。このカバー体３０は、裏面側の両側端部に、対向する一対の係止爪片３１を有している。係止爪片３１は、カバー体３０の裏面から上方に突設され、カバー体３０と一体に形成されており、その先端部に、内方に突出する凸部３２が形成されている。一方、カバー体３０が装着される側板２３の外側面には、下側部分が内方に凹み、係止爪片３１の凸部３２が引っ掛かる係合凹部３３が形成されている。この係合凹部３３は、支持片２４と載置部２８との間に形成されている。係止爪片３１の凸部３２を係合凹部３３に引っ掛けてカバー体３０を装着し下側領域Ｙを閉塞して導光材２を覆うことで、防水性、意匠性を向上させている。また、カバー体３０に各種の光学機能を付与して照明演出効果を高めることもできる。光学機能としては、例えば、レンズ機能を付与したり、Ｖ字断面の山部および谷部が交互に連続して構成されるプリズムパターン等の拡散パターン３４をケース体２０の裏面側に付与したりすることができる。これによって、光を屈折、反射させて発光面２ｂから出射される光をその全域にわたって均一な明るさにすることができ、見栄えを向上させることができる。
【００３２】
防水性をさらに向上させるために、係止爪片３１の背面側（挟持片側）の面に挟持片４２と当接するパッキン８０を設けてもよい。対向する挟持片４２の間に照明装置１が挟持されると、カバー体３０と挟持片４２との間に形成される隙間がパッキン８０で遮蔽され、水密性が確保される。パッキン８０は、カバー体３０の側端部が外方に突出して形成される突出部３５と係止爪片３１とにより構成される段差部３６に貼り付けられる。
【００３３】
また、本実施形態では、ケース体２０の両端部に、合成樹脂等の剛性部材で形成されるエンドキャップ３９が嵌め込まれている。これによってケース体２０の両端部の隙間が閉塞される。
【００３４】
次に、光源ユニット１０のケース体２０への取り付けについて説明する。
【００３５】
光源ユニット１０の取り付けは、導光材２をケース体２０に収納した後に行われる。
【００３６】
光源ユニット１０を構成する基板ケース１３は、導光材２の入射面２ａ側に開口を有し基板１２を収納する箱状の光源収納部１４と、ケース体２０内において光源収納部１４を保持する保持部１５とが連設され、側面視略Ｌ字状に形成されている。保持部１５は、光源収納部１４を構成する一対の側板１７が上方に延設されて形成されており、その一対の側板１７の上側部分に一対の貫通孔１６が形成されている。ケース体２０の連結板２１には、光源ユニット１０が装着される部分が切り欠かれて開口２２が形成されており、この開口２２によって、上側領域Ｘと下側領域Ｙが連通している。光源ユニット１０のケース体２０への取り付けは、上方から連結板２１の開口２２に挿し込み、基板ケース１３の下端部が側板２３の載置部２８に当接するまで押し込むことによってなされる。これによって光源ユニット１０の光源収納部１４が下側領域Ｙに配置され、光源ユニット１０の保持部１５が上側領域Ｘに配置され、光源ユニット１０がケース体２０内に収納される。下側領域Ｙに配置された光源収納部１４は、同じ下側領域Ｙに収納されている導光材２の入射面２ａに対峙し、光源収納部１４の基板１２に搭載された光源１１から導光材２の入射面２ａに向かって光が出射されることになる。
【００３７】
ケース体２０の側板２３には、係止片２９の上側に、挟持片４２の貫通孔４５に対応する貫通孔３８が設けられている。基板ケース１３をケース体２０に収納した状態でピン５４、ねじなどの連結具５３を保持部１５および側板２３の貫通孔１６，３８に挿通させることによって、ケース体２０に安定して取り付けることができる。
【００３８】
本実施形態では、保持部１５および側板２３の貫通孔１６，３８から連結具５３を外すことによって、ケース体２０から光源ユニット１０を容易に上方向に取り外すことが可能であり、またケース体２０の上方から下方向に挿し込んで装着することも可能である。このため、光源ユニット１０を容易に交換、点検できるなどメンテナンス性および作業性に優れる。
【００３９】
上記のような構成の照明装置１は、例えば、浴室ユニット６０の壁を構成する複数の壁パネル６２への天井材４０の取り付け施工時に天井材４０に取り付けられる。
【００４０】
浴室ユニット６０は、一般的には、防水パン、浴槽６１、壁パネル６２、天井材４０を現場で組み立てて構成される。例えば、防水パンの外端部の立ち上がりの上部に壁パネル載置部を形成し、この壁パネル載置部の上に複数の壁パネル６２を載置する。次いで、壁パネル６２で囲まれる空間の上部開口６３を天井材４０で塞ぐように壁パネル６２の上に取り付けて浴室ユニット６０を組み立てている。本実施形態では天井材４０の取り付け施工時に照明装置１を天井材４０に取り付けている。以下に、照明装置１の天井材４０への取り付けについて説明する。
【００４１】
まず、図６に示すように、２枚の天井材４０のうち一方の天井材４０を、挟持片４２が形成されていない３側端部４１ａと壁パネル６２の上端部６２ａとが一致するように配置して取り付ける。次に、この天井材４０の挟持片４２の先端部４２ａにケース体２０の係止片２９が引っ掛かるようにケース体２０の側板２３を挟持片４２に当接させて照明装置１を配置する。照明装置１に係止片２９を設けていない場合には、側板２３が挟持片４２に当接するように、対向する一対の壁パネル６２の上に照明装置１の両端部を載置する。このとき、照明装置１は、その両端部が一対の壁パネル６２に支持されて浴室に架け渡されたような状態となる。
【００４２】
次に、他方の天井材４０の挟持片４２が側板２３に当接するように他方の天井材４０を壁パネル６２に取り付ける。これによって、一方の天井材４０と他方の天井材４０の各々に対向して形成されている挟持片４２の間に照明装置１が挟持され、浴室の壁パネル６２で囲まれる空間の上部開口６３は２枚の天井材４０と照明装置１とで閉塞される。
【００４３】
次に、浴室ユニット６０の内部から天井材４０の点検口４４を通じて、棒状の位置決め部材７０を用いて照明装置１を２枚の天井材４０の間に取り付けて仮固定する。
【００４４】
位置決め部材７０は、金属等の剛性材で形成され十分な強度を有し、２枚の天井材４０の挟持片４２の間に照明装置１が挟持され位置決め用孔３７，４６に挿し込まれた状態において両端部が各挟持片４２の外方に突出する程度に十分な長さを有している。本実施形態の位置決め部材７０は、円柱形状を有し、両端部は、先端に向かって徐々に外径が小さくなる傾斜構造を有している。この傾斜構造は位置決め用孔３７，４６への挿入を容易にするものであり、一方の端部にのみ傾斜構造を有していてもよい。もちろん、傾斜構造を有していなくてもよい。位置決め用孔３７，４６の形状は、位置決め部材７０の外形形状に応じて円形状に形成されている。なお、位置決め部材７０や位置決め用孔３７，４６の形状は特に制限されるものではなく、例えば、位置決め部材７０を角柱形状とし、位置決め用孔３７，４６の形状を矩形状とすることもできる。
【００４５】
位置決め部材７０は２枚の天井材４０の挟持片４２の間に照明装置１が挟持された状態で位置決め用孔３７，４６に挿し込まれ、これによって照明装置１が２枚の天井材４０の間に取り付けられる。位置決め部材７０の位置決め用孔３７，４６への挿し込みは、次の方法でなされる。すなわち、一方の天井材４０の挟持片４２の位置決め用孔４６にその外方から位置決め部材７０の一方の端部を挿し込み、照明装置１のケース体２０の位置決め用孔３７および他方の天井材４０の挟持片４２の位置決め用孔４６に順次挿通させる。位置決め部材７０の端部が傾斜構造を有する場合、その端部を一方の天井材４０の挟持片４２の位置決め用孔４６に挿し込んで、照明装置１のケース体２０の位置決め用孔３７および他方の天井材４０の挟持片４２の位置決め用孔４６に順次挿通させればよい。位置決め部材７０を位置決め用孔３７，４６に挿通させることにより、２枚の天井材４０の間に照明装置１が取り付けられ、仮固定される。このとき、照明装置１のカバー体３０の室内空間側の面が天井面４１ｂと略同一面上になった状態で照明装置１が取り付けられている。
【００４６】
次に、浴室ユニット６０の内部から天井材４０の点検口４４を通じて、ボルト５１、ナット５２で構成される固着具５０を用いて仮固定の状態の照明装置１を２枚の天井材４０の間に固定する。具体的には、照明装置１が仮固定された状態で一方の天井材４０の挟持片４２の貫通孔４５にその外方からボルト５１の先端部を挿し込み、照明装置１のケース体２０の貫通孔２７および他方の天井材４０の挟持片４２の貫通孔４５に順次挿通させる。挿通させたボルト５１の先端部を他方の天井材４０の挟持片４２の貫通孔４５の外方からナット５２で締結することにより、２枚の天井材４０の間に照明装置１が固定される。
【００４７】
以上の実施形態では、２枚の天井材４０の挟持片４２の間に照明装置１が挟持された状態で位置決め用孔３７，４６に位置決め部材７０を挿し込むことにより、天井材４０の挟持片４２に照明装置１を容易に取り付けて仮固定することができる。位置決め用孔３７，４６の位置を適宜調整して設定することにより、照明装置１のカバー体３０の室内空間側の面を天井面４１ｂと略同一面上にするなど照明装置１を所望の位置に取り付けることが可能となる。また照明装置１の位置決めが簡単に精度よくできる。このように照明装置１が位置決め部材７０で挟持片４２に取り付けられ仮固定されているので、照明装置１を上下左右にずらすなど位置調整を行うことなく照明装置１を固着具５０で容易に固定することができる。２枚の天井材４０の間に照明装置１を天井面４１ｂから突出させないように容易に固定することが可能となり、浴室側から観察される照明装置１の存在感が抑えられ、すっきりした室内空間が付与され、意匠性を向上させることができる。
【００４８】
天井組込照明装置の取付構造の別の実施形態について説明する。図７は、天井組込照明装置の取付構造の別の実施形態を示す断面図であり、図８はその照明装置の取り付けを説明する斜視図である。図１−図６に示した照明装置と同じ部分には同一の符号を付し、その説明を省略する。
【００４９】
本実施形態では、図６において天井材４０の挟持片４２に長手方向４箇所に設けられている貫通孔４５のうち内側の貫通孔４５の１つが位置決め用孔４６として設けられている。また、照明装置１のケース体２０の各側板２３には、挟持片４２の位置決め用孔４６に対応する位置決め用孔３７が設けられている。
【００５０】
この位置決め用孔３７，４６に挿し込まれる位置決め部材７０は筒状体であり、内部に、軸方向（位置決め部材の挿入方向）に貫通する孔が形成されている。位置決め部材７０の内部に形成されている孔は、固着具５０が挿し込まれる固着具挿通孔７１であり、上記した貫通孔２７，４５の機能を有する。本実施形態の位置決め部材７０は、円筒形状を有し、その内部の固着具挿通孔７１の形状が円形であり、位置決め用孔３７，４６の形状は、位置決め部材７０の外形形状に応じて円形状に形成されている。なお、位置決め部材７０やその内部の固着具挿通孔７１、位置決め用孔３７，４６の形状は特に制限されない。例えば、位置決め部材７０を角筒形状とし、内部の固着具挿通孔７１の形状を矩形状とし、位置決め用孔３７，４６の形状を矩形状とすることもできる。
【００５１】
また本実施形態の位置決め部材７０は、挿入方向の基端部に、外方に突出する平板状のフランジ部７２が円盤状に形成されている。このフランジ部７２は、位置決め部材７０の位置決め用孔３７，４６への挿し込み時に天井材４０の挟持片４２に係止され、位置決め部材７０のストッパとして機能し、挿し込み後は位置決め用孔３７，４６からの位置決め部材７０の抜け防止として機能する。位置決め部材７０の先端部には、上記した傾斜構造を有していてもよい。
【００５２】
本実施形態の位置決め部材７０も、上記の実施形態と同様、２枚の天井材４０の挟持片４２の間に照明装置１が挟持された状態で位置決め用孔３７，４６に挿し込まれ、これによって照明装置１が２枚の天井材４０の間に取り付けられる。
【００５３】
本実施形態の位置決め部材７０の位置決め用孔３７，４６への挿し込みは、次の方法でなされる。すなわち、一方の天井材４０の挟持片４２の位置決め用孔４６にその外方から位置決め部材７０を先端部（基端部とは反対側の端部）を挿し込み、照明装置１のケース体２０の位置決め用孔３７および他方の天井材４０の挟持片４２の位置決め用孔４６に順次挿通させる。最終的に位置決め部材７０のフランジ部７２が一方の天井材４０の挟持片４２の外側面（対向する挟持片側の面とは反対側の面）に当接し、位置決め部材７０が挟持片４２に係止される。位置決め部材７０を位置決め用孔３７，４６に挿通させることにより、２枚の天井材４０の間に照明装置１が取り付けられ、仮固定される。
【００５４】
仮固定の状態の照明装置１を固定するときは、ボルト５１の先端部を位置決め部材７０のフランジ部７２側から固着具挿通孔７１に挿し込み、挿通させたボルト５１の先端部を位置決め部材７０の先端部側の外方からナット５２で締結すればよい。また、一方の天井材４０の挟持片４２の貫通孔４５にその外方からボルト５１の先端部を挿し込み、照明装置１のケース体２０の貫通孔２７および他方の天井材４０の挟持片４２の貫通孔４５に順次挿通させ、挿通させたボルト５１の先端部をナット５２で締結すればよい。
【００５５】
この実施形態では、位置決め部材７０の内部の固着具挿通孔７１に固着具５０を挿通させて照明装置１を固定できるので、側板２３および挟持片４２の貫通孔２７，４５の数を低減することができる。照明装置１において側板２３に貫通孔２７を形成するためのスペースを確保することが難しい場合や、天井材４０の挟持片４２に貫通孔４５を形成するためのスペースを確保することが難しい場合などには特に有効である。
【００５６】
また、本実施形態では、ナット５２の内側面に、合成ゴムや軟性樹脂等からなる弾性体５５を設けている。この弾性体５５は、締結時、圧縮され天井材４０の挟持片４２に当接し、その圧縮の反発力（弾性力）によって２枚の天井材４０の間に照明装置１を押付固定する。ここでナット５２に設けられる弾性体５５は、締結時にナット５２と位置決め部材７０の先端部とが干渉しないように、その圧縮時の厚みが挟持片４２から突出している位置決め部材７０の先端部の長さと同じかそれよりも厚くなるような厚みを有する弾性体５５が採用される。
【００５７】
この実施形態では、弾性体５５の弾性力によって照明装置１を押付固定することができるので、２枚の天井材４０間の寸法がばらついていても安定して照明装置１を固定できるなど施工信頼性を向上させることができる。
【００５８】
以上、実施形態に基づき本発明を説明したが、本発明は上記の実施形態に何ら限定されるものではなく、その要旨を逸脱しない範囲内において各種の変更が可能である。例えば、導光材の発光面からの光の出射に影響がない範囲で、固着具および位置決め部材を導光材に挿通させることができる。また、上記の実施形態では照明装置の光源ユニットが導光材の短辺側の側面に対向して配置されているが、導光材の上側に配置されていてもよいし、導光材の形状を直方体形状とすることもできる。
【符号の説明】
【００５９】
１  照明装置
３７  位置決め用孔
４０  天井材
４２  挟持片
４６  位置決め用孔
５０  固着具
５５  弾性体
７０  位置決め部材
７１  固着具挿通孔
７２  フランジ部
【図２】
0005662740.tif 000002
【図５】
0005662740.tif 000003
【図７】
0005662740.tif 000004
【図１】
0005662740.tif 000005
【図３】
0005662740.tif 000006
【図４】
0005662740.tif 000007
【図６】
0005662740.tif 000008
【図８】
0005662740.tif 000009